(57)【要約】      （修正有）【課題】振動防止と騒音軽減を実現する二重シェル空気ポンプの提供。【解決手段】一種の二重シェル空気ポンプ、特に一種の振動防止し、騒音軽減の空気ポンプに関わるものである。主に上蓋、台、底盤および一組以上の空気ポンプ機構より構成し、その上蓋と台に内外シェルを備える二重シェル体構造を設ける。底盤と合わせて空気ポンプ機構より空気を送り出し、接続管経由に側面空気室に流入して、空気貯蔵室に集積された後、排気管より排出し、水族槽の必要空気に供給する。【選択図】図１
0003122681.tif 000002
【実用新案登録請求の範囲】
【請求項１】
上蓋、台、台盤および一組以上の空気ポンプ機構より構成し、そのうち、上蓋に中空収容室を設け、その側面に外部シェルと内部シェルを設けて、該内部シェルと該外部シェルとの間に収容室を設け、収容室に充填材を充填し、
該台の上部縁にワッシャーを設け、上蓋と噛み合わせて、空気ポンプのシェル体を構成し、中空収容室を設け、側面方向に外部シェルと内部シェルの間に収容室を設けて、充填材を充填し、
該台盤は円形の盤体を設け、その天面に収容槽と２本の接続管を設け、該台盤底面に備える接続管の下部に静音気室を設け、外蓋を噛み合わせ、
該ポンプ機構に空気ポンプと電磁誘導装置を設け、空気生成装置を構成する二重シェル空気ポンプ。
【請求項２】
請求項１記載の二重シェル空気ポンプにおいて、該台の中空収容室は一つ以上の空気入力孔ことを特徴とする二重シェル空気ポンプ。
【請求項３】
請求項１記載の二重シェル空気ポンプにおいて、該台に備える中空収容室底部背面に入力空気ろ過室を設け、外部プラグを挿入し、該プラグは一つ以上の通過孔ことを特徴とする二重シェル空気ポンプ。
【請求項４】
請求項１記載の二重シェル空気ポンプにおいて、該台盤に設ける静音気室は複数枚の仕切板により、二つの側面空気室と一つの空気貯蔵室ことを特徴とする二重シェル空気ポンプ。
【請求項５】
請求項４記載の二重シェル空気ポンプにおいて、該空気貯蔵室の両側に孔を設けて、側面空気室に導通することを特徴とする二重シェル空気ポンプ。
【請求項６】
請求項４記載の二重シェル空気ポンプにおいて、該空気貯蔵室の外側に１列の排気管ことを特徴とする二重シェル空気ポンプ。
【考案の詳細な説明】
【技術分野】
【０００１】
一種の二重シェル空気ポンプ、特に一種の振動防止と騒音軽減を実現する空気ポンプにより、水族槽の必要空気に供給する。
【背景技術】
【０００２】
通常の水族槽用空気ポンプは主に、水族槽に生息する生物に酸素を提供し、吸気と排気として稼働する。しかしながら、稼働の機械摩擦騒音は、居住の安寧に影響するため、業界はその解決策を模索している。そのうち、特許文献１、特許文献２が開発された。この種の技術は空気ポンプ機構の片側に大きめの空気排出室を設けて、静音気室の構造として、騒音問題の解決を図る。
【０００３】
【特許文献１】台湾特許第５１９１９４号明細書
【特許文献２】台湾特許第４１６４８８号明細書
【考案の開示】
【考案が解決しようとする課題】
【０００４】
前記の公知技術は騒音の軽減は実現するものの、以下の欠点を形成する。
１．空気ポンプ機構は送風量を引き上げるために、より大きい馬力を使用しなければならない。しかし、馬力が大きくなるにつれて、騒音も大きくなる。空気排出室に備える静音気室だけでは、騒音問題を有効に解決できない。
２．空気ポンプ機構の馬力を引き上げると、機体シェルが振動振れを引き起こす。さらに、振動により、騒音がやかましくなる。
【０００５】
本考案は底盤および一組以上の空気ポンプ機構より構成し、その上蓋と台に内・外シェルが備える二重シェル体構造を設け、底盤と合わせて空気ポンプ機構より空気を送り出して、接続管経由、側面空気室に流入し、空気貯蔵室に集積された後、排気管より排出して、水族槽の必要空気に供給する、一種の振動防止と騒音軽減を実現する空気ポンプの提供を主な目的である。
【課題を解決するための手段】
【０００６】
請求項１の考案は、上蓋、台、台盤および一組以上の空気ポンプ機構より構成し、そのうち、上蓋に中空収容室を設け、その側面に外部シェルと内部シェルを設けて、該内部シェルと該外部シェルとの間に収容室を設け、収容室に充填材を充填し、
該台の上部縁にワッシャーを設け、上蓋と噛み合わせて、空気ポンプのシェル体を構成し、中空収容室を設け、側面方向に外部シェルと内部シェルの間に収容室を設けて、充填材を充填し、
該台盤は円形の盤体を設け、その天面に収容槽と２本の接続管を設け、該台盤底面に備える接続管の下部に静音気室を設け、外蓋を噛み合わせ、
該ポンプ機構に空気ポンプと電磁誘導装置を設け、空気生成装置を構成する二重シェル空気ポンプとしている。
請求項２の考案は、請求項１記載の二重シェル空気ポンプにおいて、該台の中空収容室は一つ以上の空気入力孔ことを特徴とする二重シェル空気ポンプとしている。
請求項３の考案は、請求項１記載の二重シェル空気ポンプにおいて、該台に備える中空収容室底部背面に入力空気ろ過室を設け、外部プラグを挿入し、該プラグは一つ以上の通過孔ことを特徴とする二重シェル空気ポンプとしている。
請求項４の考案は、請求項１記載の二重シェル空気ポンプにおいて、該台盤に設ける静音気室は複数枚の仕切板により、二つの側面空気室と一つの空気貯蔵室ことを特徴とする二重シェル空気ポンプとしている。
請求項５の考案は、請求項４記載の二重シェル空気ポンプにおいて、該空気貯蔵室の両側に孔を設けて、側面空気室に導通することを特徴とする二重シェル空気ポンプとしている。
請求項６の考案は、請求項４記載の二重シェル空気ポンプにおいて、該空気貯蔵室の外側に１列の排気管ことを特徴とする二重シェル空気ポンプとしている。
【考案の効果】
【０００７】
本考案の二重シェル構造および静音気室の設計により、振動防止と騒音軽減の効果を実現できる。
【考案を実施するための最良の形態】
【０００８】
図１、２、３、および４に示すとおり、本考案は上蓋１、台２、台盤５および一組以上の空気ポンプ機構４より構成する。そのうち、上蓋１に中空収容室１０を設け、側面に外部シェル１１と内部シェル１２をそれぞれ設け、該内部シェル１２と外部シェル１１の間に収容空間１３を設けて、充填材Ｂを充填する。
【０００９】
台２を設け、その上部の縁にワッシャー３を設けて、上蓋１と噛み合わせて、空気ポンプＡのシェル体を構成する。中空収容室２１を設け、外部シェル２０と内部シェル２２を設け、該内部シェル２２と該内部シェル２０との間に収容空間２３を設けて、充填材Ｂを充填する。中空収容室２１の底部に一つ以上の空気入力孔２１１を設け、該空気入力孔２１１の底部背面に入力空気ろ過室２５２を設けて、外部プラグ２５を被せて、該外部プラグ２５に一つ以上の通過孔２５１を設け、台盤５は円形体を設ける。その天面５０の片側に収容溝５１を設け、もう一端に２本のボルト５２１、５２２を設けて、固定台５６は２本のねじ５６３、５６４をその両側に備える固定孔５６１、５６２を通して、空気ポンプ機構４を台盤５に固定する。その片側に２本の接続管５３１、５３２を設け、台盤５の天面中央場所の両側に通過孔５０１、５０２をそれぞれに設けて、緩衝プラグ５５１、５５２を挿入する。台盤５の底側面は接続管５３１、５３２の下部場所に静音気室５８を設け、該静音気室５８は複数枚の仕切板Ｔによって、二つの側面気室Ｃ１、Ｃ２と一つの空気貯蔵室Ｃ３を設ける。該接続管５３１、５３２の下部に貫通孔５３１１、５３２１を設けて、側面気室Ｃ１、Ｃ２に導通する。空気貯蔵室Ｃ３の両側に貫通孔Ｅ１、Ｅ２を設けて、二つの側面気室Ｃ１、Ｃ２に導通する。さらに、空気貯蔵室Ｃ３の外側に空気を排出するための排気管５４１を設ける。静音気室５８の底蓋に外蓋５９を設け、該外蓋５９の内面に複数枚の仕切板Ｔ’を静音気室５８の仕切板Ｔと向かい合って設ける。さらに、接続管５３１、５３２の対称場所に短棒５９１、５９２を設けて、空気流出するときに係り止めて緩衝効果を発揮する。
【００１０】
空気ポンプ機構４は空気ポンプ４１、４２および電磁誘導装置４３を設け、空気生成装置とする(該空気ポンプ機構４は公知の構造のため、ここでの詳細説明を省略する。)。
【００１１】
前記した部品構成により、空気ポンプＡは稼働するとき、空気ポンプ４１、４２は電磁誘導装置４３の電磁誘導で吸着、引き離す働きにより、空気吸入と空気排出を交互に動作する。外部の空気は外部プラグ２５の通過孔２５１を経て、入力空気ろ過室２５２に流入する。該入力空気ろ過室２５２内部にろ過部材を取り付けて、空気に含まれる不純物をろ過し、ろ過された空気は空気入力室２１１を介して、空気ポンプ４１、４２に吸入される。空気ポンプ４１、４２の圧縮により、送風管４１１、４１２から送出し、エルボー５７１、５７２、接続管５３１、５３２から下部に流動し、接続管５３１、５３２下部で短棒５９１、５９２により係り止めて緩衝し、貫通孔５３１１、５３２１から側面気室Ｃ１、Ｃ２に流入し、貫通孔Ｅ１、Ｅ２で合流してから、空気貯蔵室Ｃ３に流入した後、排気管５４１から排出して、水族槽の必要空気を供給する。
【００１２】
本考案の上蓋１と台２に内部シェル２２と外部シェル２０の二重シェル機構により、外部に伝送する騒音を軽減できる。内部シェル２２と外部シェル２０との間の収容空間１３、２３に充填材８を充填する。充填材Ｂは高い比重の部材砂などを使用し、上蓋１と台２の重量を増やして安定を与え、空気ポンプの稼働における振動を軽減する。
【図面の簡単な説明】
【００１３】
【図１】本考案の立体分解図である。
【図２】本考案の立体図である。
【図３】本考案の組合せ断面図である。
【図４】本考案の空気経路表示図である。
【符号の説明】
【００１４】
１  上蓋
１０  収容室
１１  外部シェル
１２  収容室
１３  収容室
２  台
２０  外部シェル
２１  中空収容室
２１１  空気入力孔
２２  内部シェル
２３  収容室
２５  外部プラグ
２５１  通過孔
２５２  入力空気ろ過室
３  ワッシャー
４  空気ポンプ機構
４１、４２  空気ポンプ
４１１、４１２  送風管
４３  電磁誘導装置
５  台盤
５０  天面
５０１、５０２  通過孔
５１  収容溝
５２１、５２２  固定栓
５３１、５３２  接続管
５３１１、５３２１  孔
５４１  排気管
５５１、５５２    緩衝プラグ
５６  固定台
５６１、６２  固定孔
５６３、５６４  ねじ
５７１、５７２  エルボー
５８  静音気室
５９  外蓋
５９１、５９２  短棒
Ａ  空気ポンプ
Ｂ  充填材
Ｃ１、Ｃ２  側面空気室
Ｃ３  空気貯蔵室
Ｅ１、Ｅ２  孔
Ｔ、Ｔ’  仕切板
【図１】
0003122681.tif 000003
【図２】
0003122681.tif 000004
【図３】
0003122681.tif 000005
【図４】
0003122681.tif 000006